(57)【要約】【課題】  少ない電力消費量で、車両が施錠されていないことを携帯機が報知できる車両の施錠装置を提供する。【解決手段】  インテリジェントキー１３と車両側に取り付けられた車外用アンテナ部１２との間で信号を送受信して、インテリジェントキー１３の識別コードを車両１０側で照合した後に車両のドア１０ａを施錠又は解錠する車両の施錠装置である。  さらにこの装置は、ドア１０ａの開閉を感知するドアスイッチ１４と、そのドアスイッチ１４から生成される閉扉信号によってインテリジェントキー１３が車内外のいずれにあるかの確認を開始するインテリジェントキー制御部１６と、インテリジェントキー１３が車外にあるときに生成される降車信号によって作動を開始するタイマー１３ａと、タイマー１３ａの時間が所定時間を経過するまでに施錠信号が検出されなければ報知をおこなうインテリジェントキー１３に備えたブザー１３ｂとを有する。【選択図】  図１
2006083648.tif 000002
【特許請求の範囲】
【請求項１】
携帯機と車両側に取り付けられたアンテナ部との間で信号を交信して、該携帯機の識別コードを車両側で照合した後に車両のドアを施錠又は解錠する車両の施錠装置であって、
前記ドアの開閉を感知する開閉感知手段と、該開閉感知手段から生成される閉扉信号によって前記携帯機が車内外のいずれにあるかの確認を開始する制御部と、前記携帯機が車外にあるときに生成される降車信号によって作動を開始するタイマーと、該タイマーの時間が所定時間を経過するまでに施錠信号が検出されなければ報知をおこなう前記携帯機に備えた報知手段とを有することを特徴とする車両の施錠装置。
【請求項２】
前記アンテナ部は、前記携帯機が車内にあるときに交信をおこなう車内用アンテナ部と、前記携帯機が車外にあるときに交信をおこなう車外用アンテナ部とを有することを特徴とする請求項１に記載の車両の施錠装置。
【請求項３】
前記タイマーは、前記携帯機に備えられたことを特徴とする請求項１又は請求項２に記載の車両の施錠装置。
【請求項４】
前記タイマーは、前記降車信号に加えて、前記車両のエンジンが停止した際に生成されるエンジン停止信号を前記携帯機が受信することによって作動することを特徴とする請求項１乃至請求項３のいずれかに記載の車両の施錠装置。
【請求項５】
前記施錠信号は、前記車両が施錠された際に前記車外用アンテナ部から前記携帯機に送信される信号であることを特徴とする請求項１乃至請求項４のいずれかに記載の車両の施錠装置。
【請求項６】
携帯機と車両側に取り付けられたアンテナ部との間で信号を交信して、該携帯機の識別コードを車両側で照合した後に車両のドアを施錠又は解錠する車両の施錠装置であって、
前記車両のエンジンが停止した際に生成されるエンジン停止信号と、前記ドアの開閉を感知する開閉感知手段から生成される閉扉信号とによって降車信号を生成する制御部と、該降車信号によって作動を開始するタイマーと、該タイマーの時間が所定時間を経過するまでに施錠信号が検出されなければ報知をおこなう前記携帯機に備えた報知手段とを有することを特徴とする車両の施錠装置。
【発明の詳細な説明】
【技術分野】
【０００１】
本発明は、携帯機と車両側に取り付けられたアンテナ部との間で信号を交信して、該携帯機の識別コードを車両側で照合した後に車両のドアを施錠又は解錠する車両の施錠装置に関するものである。
【背景技術】
【０００２】
従来の車両の施錠装置としては、車両側にアンテナ部を配置し、携帯機としてのイグニッションキーにトランスポンダを内蔵し、イグニッションキーが記憶する識別コード（ＩＤコード）と車両に記憶させた識別コードとの照合をおこない、照合が一致した際に施錠又は解錠をおこなうという装置が知られている。
【０００３】
また、特許文献１には、携帯用無線装置６を所持した運転者が貨物車両１から離れた場合に施錠をおこなう積荷盗難防止装置が開示されている（図４参照）。
【０００４】
この積荷盗難防止装置は、貨物車両１側にスライド式のドア２と、施錠装置３と、車両側アンテナ部５と、制御部４とが備えられ、運転者が所持する携帯用無線装置６には、アンテナ部６ａとブザー６ｂが備えられている。
【０００５】
この装置では、貨物車両１側の送信エリア７内に携帯用無線装置６があるときは、携帯用無線装置６は貨物車両１側からの電波を受信して、ブザー６ｂが鳴らないように制御されると共に、応答として貨物車両１側に電波が送信される。
【０００６】
そして、この電波を車両側アンテナ部５で受信して、施錠装置３を解錠状態に保持、又は解錠が行なわれる。
【０００７】
また、携帯用無線装置６が送信エリア７外に出たときは、車両側アンテナ部５から送信された電波は、携帯用無線装置６に到達しなくなり、ブザー６ｂが鳴らされると共に、貨物車両１側への電波の送信も停止される。
【０００８】
このように携帯用無線装置６からの電波が車両側アンテナ部５で受信できなくなると、制御部４によって施錠装置３を施錠状態にする、又は施錠状態を保持するような制御が行なわれる。
【特許文献１】実開平４−５１８５２号公報（図１乃至図４，実用新案登録請求の範囲）
【発明の開示】
【発明が解決しようとする課題】
【０００９】
しかしながら、前記した従来の積荷盗難防止装置のような施錠装置は、携帯用無線装置６が送信エリア７内にいるときは解錠状態となり、送信エリア７外にいるときは施錠状態となるように、運転者の意思に関わらず施錠又は解錠が自動的に行なわれる。
【００１０】
このため、貨物車両１の近くで作業していて、偶然送信エリア７の外にはみ出した場合のように、施錠を望まないときにも施錠が行なわれたり、送信エリア７内には入ったが、積荷作業をおこなうまでにはまだ時間があるなどの理由で、解錠を望まないときにも解錠が行なわれたりするなどの問題がある。
【００１１】
また、車両側アンテナ部５あるいは携帯用無線装置６から常に電波が送信されて、携帯用無線装置６が送信エリア７内にあるか否かを確認する構成をとるため、時間の経過に従って電力の消費が増加する。
【００１２】
さらに、前記したように施錠又は解錠を望まないときにも施錠と解錠を繰り返す場合もあるため、無駄に電力が消費されることになる。
【００１３】
そこで本発明は、少ない電力消費量で、車両が施錠されていないことを携帯機が報知できる車両の施錠装置を提供することを目的としている。
【課題を解決するための手段】
【００１４】
前記目的を達成するために、請求項１の発明は、携帯機と車両側に取り付けられたアンテナ部との間で信号を交信して、該携帯機の識別コードを車両側で照合した後に車両のドアを施錠又は解錠する車両の施錠装置であって、前記ドアの開閉を感知する開閉感知手段と、該開閉感知手段から生成される閉扉信号によって前記携帯機が車内外のいずれにあるかの確認を開始する制御部と、前記携帯機が車外にあるときに生成される降車信号によって作動を開始するタイマーと、該タイマーの時間が所定時間を経過するまでに施錠信号が検出されなければ報知をおこなう前記携帯機に備えた報知手段とを有する車両の施錠装置であることを特徴とする。
【００１５】
また、請求項２のものは、前記アンテナ部は、前記携帯機が車内にあるときに交信をおこなう車内用アンテナ部と、前記携帯機が車外にあるときに交信をおこなう車外用アンテナ部とを有する請求項１に記載の車両の施錠装置であることを特徴とする。
【００１６】
さらに、請求項３のものは、前記タイマーは、前記携帯機に備えられた請求項１又は請求項２に記載の車両の施錠装置であることを特徴とする。
【００１７】
そして、請求項４のものは、前記タイマーは、前記降車信号に加えて、前記車両のエンジンが停止した際に生成されるエンジン停止信号を前記携帯機が受信することによって作動する請求項１乃至請求項３のいずれかに記載の車両の施錠装置であることを特徴とする。
【００１８】
また、請求項５のものは、前記施錠信号は、前記車両が施錠された際に前記車外用アンテナ部から前記携帯機に送信される信号である請求項１乃至請求項４のいずれかに記載の車両の施錠装置であることを特徴とする。
【００１９】
さらに、請求項６のものは、携帯機と車両側に取り付けられたアンテナ部との間で信号を交信して、該携帯機の識別コードを車両側で照合した後に車両のドアを施錠又は解錠する車両の施錠装置であって、前記車両のエンジンが停止した際に生成されるエンジン停止信号と、前記ドアの開閉を感知する開閉感知手段から生成される閉扉信号とによって降車信号を生成する制御部と、該降車信号によって作動を開始するタイマーと、該タイマーの時間が所定時間を経過するまでに施錠信号が検出されなければ報知をおこなう前記携帯機に備えた報知手段とを有する車両の施錠装置であることを特徴とする。
【発明の効果】
【００２０】
このように構成された請求項１のものは、前記ドアの開閉を感知して、前記携帯機が車内外のいずれにあるかの確認を開始し、前記携帯機が車外にあるという降車信号が生成されたときに前記タイマーを作動させる。そして、前記タイマーで計測される所定時間内に施錠信号が検出されないときに、前記携帯機が報知をおこなう。
【００２１】
このため、常に前記携帯機の位置を確認するための電波を送信する必要がなく、消費電力を少なくすることができる。また、自動的に施錠を行なうのではなく、前記携帯機が報知をおこなうだけなので、運転者の意思に反して自動的に施錠が行なわれることがない。
【００２２】
さらに、前記携帯機が報知をおこなうので、車両から離れた場所にいても前記携帯機を所持する運転者は施錠忘れを知ることができる。
【００２３】
また、請求項２のものは、アンテナ部として車内用アンテナ部と、車外用アンテナ部とを使用し、いずれのアンテナ部が前記携帯機と交信しているかによって前記携帯機の位置を確認する。
【００２４】
このため、携帯機の位置を誤って判断することがほとんどないので、誤作動を防ぐことができる。
【００２５】
さらに、請求項３のものは、前記携帯機にタイマーが備えられ、該携帯機が報知までの時間を管理する。
【００２６】
このため、前記携帯機が車両との交信エリアを超えた位置に移動した場合であっても、前記携帯機は施錠忘れを知らせる報知をおこなうことができる。
【００２７】
そして、請求項４のものは、エンジンが停止した際に生成されるエンジン停止信号を受信した場合にだけ、前記タイマーが作動を開始する。
【００２８】
このため、運転者が意識的にエンジンを掛けたままの状態で車外に出た場合などにまで、報知をして施錠を促すような過剰報知をおこなうことがない。
【００２９】
また、請求項５のものは、前記車両の施錠がおこなわれた際に、前記車両側から前記携帯機に施錠信号を送信し、この施錠信号によって前記携帯機は報知を行なわないという処理がなされる。
【００３０】
このため、メカニカルキーによって施錠がなされた場合であっても、報知を行なわないという処理をすることができる。また、実際に施錠されたときだけ報知をおこなわない処理をするため、施錠忘れが発生する可能性を低減することができる。
【００３１】
さらに、請求項６のものは、前記エンジン停止信号と前記閉扉信号とが得られた場合に運転者が降車したものと判断し、この降車信号によって前記タイマーの作動を開始させる。
【００３２】
このため、前記携帯機が車内外のいずれにあるかを確認する処理をおこなう必要がなく、装置を簡素化することができる。
【発明を実施するための最良の形態】
【００３３】
以下、本発明の最良の実施の形態について図面を参照して説明する。
【００３４】
図１は、最良の実施の形態による車両の施錠装置の構成を示している。
【００３５】
まず、構成から説明すると、このような実施の形態の車両の施錠装置は、携帯機としてのインテリジェントキー１３と、車両１０側に取り付けられたアンテナ部としての車外用アンテナ部１２との間で信号を送受信して、インテリジェントキー１３が保持する識別コードを車両１０側で照合した後に車両１０のドア１０ａを施錠又は解錠する装置である。
【００３６】
さらに本実施の形態の施錠装置は、前記ドア１０ａの開閉を感知する開閉感知手段としてのドアスイッチ１４と、前記インテリジェントキー１３が車内外のいずれにあるかの確認をする制御部としてのインテリジェントキー制御部１６と、前記インテリジェントキー１３が車外にあるときに生成される降車信号によって作動を開始するタイマー１３ａと、前記インテリジェントキー１３に備えた報知手段としてのブザー１３ｂと、を有している。
【００３７】
また、車両１０には、ドア１０ａの施錠又は解錠をおこなう施錠装置１８と、エンジン停止信号を生成させるキースイッチ１５と、前記施錠装置１８を制御する車体制御部１７とが備えられている。
【００３８】
本実施の形態のインテリジェントキー１３は、運転者が身に付けて持ち歩くように形成された機器である。このインテリジェントキー１３は、施錠を行なうときに押す施錠ボタン１３ｃと、解錠を行なうときに押す解錠ボタン１３ｄと、タイマー１３ａと、ブザー１３ｂとを備えている。
【００３９】
このタイマー１３ａは、インテリジェントキー１３が降車信号を受信したときに作動が開始され、その時点からの時間の測定をおこなう。例えば、作動開始後に所定時間が経過すると停止するように構成されている。
【００４０】
また、ブザー１３ｂは、外部に向けて音を発する部品であって、所定の条件が満たされたとき、あるいは所定の条件が満たされなかったときに音を発するように構成される。例えば、所定時間が経過するまでに施錠信号を検出する、という条件が満たされなかったときに音を発するように構成される。
【００４１】
さらに、車外用アンテナ部１２は、前記インテリジェントキー１３が車外にあるときに交信をおこなうアンテナ部である。車外用アンテナ部１２は、例えばドアノブの裏側、ステアリングメンバー部、リヤパーセル部などに車外向けに取り付けられる。
【００４２】
この車外用アンテナ部１２は、車両１０外部にあるインテリジェントキー１３から送信された電波を受信したり、そのインテリジェントキー１３に電波を送信したりする際に使用される。
【００４３】
車外用アンテナ部１２とインテリジェントキー１３との間で送受信される電波には、識別コード信号、施錠又は解錠信号、後述する降車信号などがある。
【００４４】
そして、車内用アンテナ部１１は、前記インテリジェントキー１３が車室内にあるときに交信をおこなうアンテナ部である。車内用アンテナ部１１は、例えばシートの下やインストルメントセンターロア部などに車内向けに取り付けられる。
【００４５】
この車内用アンテナ部１１は、車室内にあるインテリジェントキー１３から送信された電波を受信したり、そのインテリジェントキー１３に電波を送信したりする際に使用される。
【００４６】
車内用アンテナ部１１とインテリジェントキー１３との間で送受信される電波には、識別コード信号、後述するエンジン停止信号などがある。
【００４７】
また、ドアスイッチ１４は、ドア１０ａが開くとスイッチがオン（ＯＮ）となり、ドア１０ａが閉まるとオフ（ＯＦＦ）となるスイッチである。ドア１０ａを施錠する前提条件として、運転者が降車していることが要件となり、降車をおこなうには必ずドア１０ａが一旦開けられ、そして閉められるので、このドア１０ａが閉められたときの信号（ドアスイッチＯＦＦ）を閉扉信号とする。
【００４８】
さらに、キースイッチ１５では、イグニッションノブがオフ（ＯＦＦ）になった信号、あるいはイグニッションキーが抜かれた信号などのエンジンが停止した状態であることを表すエンジン停止信号が生成される。
【００４９】
そして、インテリジェントキー制御部１６では、前記車内用アンテナ部１１、前記車外用アンテナ部１２、前記キースイッチ１５などと信号を送受信すると共に、車体制御部１７と信号を送受信することで、施錠又は解錠やエンジンの始動などをおこなうための制御が行なわれる。
【００５０】
また、車体制御部１７には、施錠装置１８が連結されており、インテリジェントキー制御部１６から送信された施錠又は解錠を促す信号によって、施錠装置１８を制御してドア１０ａの施錠又は解錠をおこなう。
【００５１】
さらに、ドア１０ａが施錠又は解錠されると、作動確認としてハザードランプを点滅させたり、車両１０のブザーを鳴らしたりする信号が生成されるため、本実施の形態ではこの信号を施錠信号として使用する。
【００５２】
図２に本実施の形態の車両の施錠装置のブロック図を示す。
【００５３】
前記インテリジェントキー１３と車内用アンテナ部１１又は車外用アンテナ部１２は、無線によって信号を交信し、車内用アンテナ部１１又は車外用アンテナ部１２はインテリジェントキー制御部１６と連結されて信号を送受信する。
【００５４】
また、インテリジェントキー制御部１６は、キースイッチ１５から前記エンジン停止信号を受信する。
【００５５】
さらに、インテリジェントキー制御部１６は、車体制御部１７とＣＡＮ通信によって連結されると共に、この車体制御部１７はドアスイッチ１４から前記閉扉信号を受信する。
【００５６】
そして、車体制御部１７に連結された施錠装置１８は、車体制御部１７に制御されることによって、ドア１０ａの施錠又は解錠をおこなう。
【００５７】
このような本実施の形態における降車信号とは、運転者が車両１０を降りたことを表す信号である。例えば、前記エンジン停止信号を車体制御部１７がインテリジェントキー制御部１６を介して受信し、さらにドアスイッチ１４から前記閉扉信号を受信することによって、インテリジェントキー１３が車内外のいずれにあるかの確認を指示する信号をインテリジェントキー制御部１６に送信する。
【００５８】
そして、この信号を受信したインテリジェントキー制御部１６は、インテリジェントキー１３が車内外のいずれにあるかの確認を開始する。この確認動作によってインテリジェントキー１３が車外にあることが確認できれば、運転者は降車していると判断して降車信号が生成される。
【００５９】
次に、図３に示したフローチャートを参照しながら、本実施の形態における車両の施錠装置の処理の流れを説明すると共に、その作用について説明する。
【００６０】
まず、稼動中のエンジンが停止しているかどうかを確認する（Ｓ１）。エンジンが稼動しているときは、施錠忘れを知らせる報知をおこなう必要はないので、以下の処理を行なわず、走行を続ける。
【００６１】
そして、キースイッチ１５がオフ（ＯＦＦ）になったことで、エンジンが停止したと判断し、エンジン停止信号をインテリジェントキー制御部１６に送信する。
【００６２】
エンジン停止時点では、インテリジェントキー１３は運転者と共にまだ車内にあるため、インテリジェントキー制御部１６から車内用アンテナ部１１を介してエンジン停止信号をインテリジェントキー１３に送信する（Ｓ２）。
【００６３】
さらに、エンジン停止後も運転者がしばらく車内に留まることもあるため、ドア１０ａの開閉がなされたかを検出する（Ｓ３）。すなわち、エンジン停止後、ドア１０ａが開いた状態から閉じた状態へ移行することがなければ、運転者は降車したとは考えられないため、ドア１０ａの開閉が検出されるまで次のステップには移行しない。
【００６４】
そして、ドアスイッチ１４がオン（ＯＮ）からオフ（ＯＦＦ）になると、閉扉信号が車体制御部１７に送信され、さらに車体制御部１７からインテリジェントキー制御部１６に前記閉扉信号に基づいた信号が送信される。
【００６５】
この信号を受信したインテリジェントキー制御部１６は、ドア１０ａが閉まった時点でインテリジェントキー１３が車内外のいずれにあるかを確認するために、車内用アンテナ部１１及び車外用アンテナ部１２からインテリジェントキー１３に向けて電波を送信する（Ｓ４）。
【００６６】
すなわち、インテリジェントキー１３は、車内用アンテナ部１１又は車外用アンテナ部１２から電波を受信すると、応答して電波を送信する。この送信された電波をいずれのアンテナ部１１，１２で受信したかによって、インテリジェントキー１３が車室内にあるのか、又は車外にあるのかを判断することができる。
【００６７】
インテリジェントキー１３が車室内にあると判断されたときは、運転者はエンジン停止後、ドア１０ａを一度、開閉したが、降車することなくそのまま車内に留まったと考えられるので、再び、ドア１０ａの開閉が検出されるまで、次のステップには移行しない。
【００６８】
これに対して、インテリジェントキー１３が車外にあると判断されたときは、運転者は降車したと判断できるので、前記降車信号を生成して、車外用アンテナ部１２からインテリジェントキー１３に降車信号を送信する（Ｓ５）。
【００６９】
このように本実施の形態では、車内用アンテナ部１１あるいは車外用アンテナ部１２とインテリジェントキー１３とは、常に、または周期的に交信を繰り返すのではなく、エンジン停止、ドアの開閉などをきっかけにして、単発的に交信するにすぎないため、非常に少ない電力消費量で装置を作動させることができる。
【００７０】
そして、降車信号を受信したインテリジェントキー１３は、内蔵したタイマー１３ａの作動を開始させる（Ｓ６）。
【００７１】
このタイマー１３ａの作動中は、インテリジェントキー１３が前記施錠信号を検出したかどうかの判定をおこなう（Ｓ７）。タイマー１３ａによって計測されている所定時間内に前記施錠信号が検出されれば、報知をおこなう必要がなくなるので、以下の処理を中断してブザー１３ｂに電流が供給されないようにする。
【００７２】
また、施錠信号が検出されないときは、所定時間が経過したかどうかの確認をおこなう（Ｓ８）。ここで、所定時間内であれば、施錠信号が検出されるまで処理を繰り返す。
【００７３】
そして、施錠信号が検出されないまま所定時間が経過したときに、ブザー１３ｂによる報知をおこなう（Ｓ９）。運転者は、このブザー１３ｂの音によって施錠がされていないことを知ることができ、施錠の必要があれば施錠ボタン１３ｃを押し、施錠の必要がない場合はそのままにしておくことができる。
【００７４】
以上において説明した本実施の形態では、ドア１０ａの開閉を感知することによって、インテリジェントキー１３が車内外のいずれにあるかの確認を車内用アンテナ部１１及び車外用アンテナ部１２を使用して開始し、インテリジェントキー１３が車外にあるという降車信号が生成されたときにタイマー１３ａを作動させる。そして、所定の時間内に前記施錠信号が検出されないときにブザー１３ｂによる報知をおこなう。
【００７５】
このため、常にインテリジェントキー１３の位置を確認するための電波を送信し続ける必要がなく、消費電力を少なくすることができる。また、自動的に施錠を行なうのではなく、インテリジェントキー１３が報知をおこなうだけなので、運転者の意思に反して施錠を行なったり、施錠と解錠を繰り返したりして電力を浪費するようなことがない。
【００７６】
また、車外用アンテナ部１２だけでインテリジェントキー１３の場所を確認することも可能ではあるが、車外用アンテナ部１２の電波が届かない場合に、インテリジェントキー１３が車両１０から離れた電波の届かない位置にあるのか、車内にあるのかを判断することが難しい。
【００７７】
これに対して、車内用アンテナ部１１を配置することで、インテリジェントキー１３が車内にあるときにまで報知をおこなうような誤作動を防ぐことができる。
【００７８】
さらに、インテリジェントキー１３にタイマー１３ａが備えられることで、短時間の間に車外用アンテナ部１２との交信エリア外にインテリジェントキー１３が移動したとしても、運転者に施錠忘れを報知することができる。
【００７９】
そして、前記エンジン停止信号が生成された場合にだけ、タイマー１３ａが作動を開始するようにすることで、運転者がエンジンを掛けたままの状態で意識的に車外に出た場合などにまで、報知をして施錠を促すような過剰報知をおこなうことを避けることができる。
【００８０】
また、車両１０の施錠がおこなわれた際に、車両１０側からインテリジェントキー１３に前記施錠信号を送信し、この施錠信号を受信したときだけ報知を行なわないようにすることで、インテリジェントキー１３の施錠ボタン１３ｃを押すことなくメカニカルキーによって施錠がなされた場合であっても、報知を行なわないという処理をすることが可能になる。
【００８１】
また、実際に施錠されたことが確認されたときだけ報知がおこなわれないため、施錠ボタン１３ｃを押したが交信状態が悪くて施錠されなかった場合に報知を止めてしまうこともなく、施錠忘れが発生する可能性を低減することができる。
【実施例１】
【００８２】
以下、前記した実施の形態の実施例１について説明する。なお、前記実施の形態で説明した内容と同一乃至均等な部分の説明については同一符号を付して説明する。
【００８３】
前記実施の形態では、タイマー１３ａはインテリジェントキー１３に備えられていたが、車両１０側に備えたタイマーを使用する場合について実施例１で説明する。
【００８４】
車両１０にタイマーを設けるのであれば、新たにタイマーを取り付けなくとも、別の用途で使用されているタイマーを共用することができる。
【００８５】
そして、図３のフローチャートに示した施錠信号が検出されないままに所定時間が経過したかどうかの処理までを車両１０側の制御部（インテリジェントキー制御部１６又は車体制御部１７等）でおこない、ブザー１３ｂによって報知をおこなうことが決定した際に、報知信号を車外用アンテナ部１２を介してインテリジェントキー１３に送信すればよい。
【００８６】
このように構成することで、インテリジェントキー１３にタイマー１３ａを組み込む工程及び費用を無くすことができる。また、タイマー１３ａの組み込みによって、インテリジェントキー１３の大きさや重量が増大することを防ぐことができる。
【００８７】
なお、他の構成及び作用効果については、前記実施の形態と略同様であるので説明を省略する。
【実施例２】
【００８８】
以下、前記した実施の形態の実施例２について説明する。なお、前記実施の形態で説明した内容と同一乃至均等な部分の説明については同一符号を付して説明する。
【００８９】
前記実施の形態では、インテリジェントキー１３と車内用アンテナ部１１又は車外用アンテナ部１２を交信させることによって、インテリジェントキー１３の位置を確認し、その結果から降車信号を生成したが、実施例２ではこの処理を省略した構成について説明する。
【００９０】
実施例２の車両の施錠装置は、前記エンジン停止信号と前記閉扉信号とによって降車信号を生成する制御部としての車体制御部１７と、その降車信号によって作動を開始するタイマー１３ａと、前記インテリジェントキー１３に備えた報知手段としてのブザー１３ｂと、を有している。
【００９１】
すなわち、キースイッチ１５がオフになり、ドアスイッチ１４がオンからオフに切り替わった時点で、運転者が降車したものと簡易的に判断して、降車信号を生成する。
【００９２】
そして、この降車信号をインテリジェントキー１３に送信してタイマー１３ａの作動を開始させ、所定時間内に前記施錠信号が検出されないときにブザー１３ｂを鳴らす。
【００９３】
このため、インテリジェントキー１３が車内外のいずれにあるかを確認する必要がなく、装置又は処理を簡素化することができる。
【００９４】
なお、他の構成及び作用効果については、前記実施の形態と略同様であるので説明を省略する。
【００９５】
以上、図面を参照して、本発明の最良の実施の形態を詳述してきたが、具体的な構成は、これらの実施の形態に限らず、本発明の要旨を逸脱しない程度の設計的変更は、本発明に含まれる。
【００９６】
例えば、以上の説明においては、携帯機としてインテリジェントキー１３を使用したが、施錠又は解錠をおこなうインテリジェントキー１３とは別体に形成された報知手段を設けた報知機を、前記携帯機として使用することもできる。
【００９７】
また、報知手段としてブザー１３ｂを使用したが、スピーカ又は光を発するＬＥＤや電球などの光源器であってもよい。
【００９８】
さらに、前記実施の形態では、施錠信号を施錠が行なわれたときに車両１０側から送信される信号としたが、インテリジェントキー１３の施錠ボタン１３ｃを押すだけで発生する信号であってもよい。
【００９９】
そして、前記実施の形態、実施例１又は実施例２では、制御部として、インテリジェントキー制御部１６又は車体制御部１７を使用したが、いずれを使用してもよく、また別途、制御部を設けたり、他の既存の制御部と共用したりすることもできる。
【０１００】
また、前記実施の形態では、インテリジェントキー制御部１６で降車信号を生成したが、これに限定されるものではなく、車体制御部１７又は携帯機側に制御部を設けて降車信号を生成させることもできる。
【０１０１】
さらに、前記実施の形態では、図３のフローチャートに示したように、エンジン停止信号をインテリジェントキー１３に送信したが（Ｓ２）、この時点ではエンジン停止信号の送信をおこなわず、ドア１０ａの開閉を検出する処理（Ｓ３）の開始条件として使用することもできる。また、前記降車信号を生成した後に、その降車信号と一緒にエンジン停止信号をインテリジェントキー１３に送信することもできる。
【図面の簡単な説明】
【０１０２】
【図１】本発明の最良の実施の形態の車両の施錠装置の構成を説明するための模式的なブロック図である。
【図２】本発明の最良の実施の形態の車両の施錠装置の信号の流れを説明するためのブロック図である。
【図３】本発明の最良の実施の形態の車両の施錠装置の処理の流れを説明するためのフローチャートである。
【図４】従来の車両の施錠装置の構成を説明するための説明図である。
【符号の説明】
【０１０３】
１０          車両
１１          車内用アンテナ部
１２          車外用アンテナ部
１３          インテリジェントキー（携帯機）
１３ａ      タイマー
１３ｂ      ブザー（報知手段）
１４          ドアスイッチ（開閉感知手段）
１５          キースイッチ
１６          インテリジェントキー制御部（制御部）
１７          車体制御部（制御部）
【図１】
2006083648.tif 000003
【図２】
2006083648.tif 000004
【図３】
2006083648.tif 000005
【図４】
2006083648.tif 000006